(57)【要約】【課題】作業性に優れ且つ効率良く放射性セシウムを吸着回収し、盗難防止対策も講じた放射性セシウム吸着剤入り収納容器の設置構造を提供する。【解決手段】フレーム22で骨組み形成される立体構造体2aの外周面に現れる開口の一部を投入口20として残して、他の開口部を網状体2b又は多孔板で覆った籠状容器を形成すると共に、投入口20周りの枠部22aに開閉自在に開閉蓋25が取付けられてなる金属製収納容器2と、繊維状体又は粒状体からなり、投入口20から収納容器2内に充填される固形の放射性セシウム吸着剤3と、収納容器2のフレーム22に外方へ突出形成される突出部材26と、を具備する放射性セシウム吸着剤入り収納容器1が設けられる一方、流路40を形成する路壁41から流路40内へ張り出す張出部材5が設けられ、張出部材5と突出部材26とを接続固定して、開閉蓋25が閉じられ且つロック状態にされた放射性セシウム吸着剤入り収納容器1が流路40内に載置される。【選択図】図２
2014098640.tif 000002
【特許請求の範囲】
【請求項１】
フレーム(22)で骨組み形成される立体構造体(2a)の外周面に現れる開口の一部を投入口(20)として残して、他の開口部(21)を網状体(2b)又は多孔板で覆った籠状容器を形成すると共に、該投入口(20)周りの枠部(22a)に開閉自在に開閉蓋(25)が取付けられてなる金属製収納容器(2)と、
繊維状体又は粒状体からなり、充填下で、通水性を有して、前記投入口(20)から該収納容器(2)内に充填される固形の放射性セシウム吸着剤(3)と、
前記収納容器(2)のフレーム(22)に外方へ突出形成される突出部材(26)と、を具備する放射性セシウム吸着剤入り収納容器(1)が設けられる一方、
流路(40)を形成する路壁(41)から流路(40)内へ張り出す張出部材(5)が設けられ、該張出部材(5)と前記突出部材(26)とを接続固定して、前記開閉蓋(25)が閉じられ且つロック状態にされた前記放射性セシウム吸着剤入り収納容器(1)が流路(40)内に載置されることを特徴とする放射性セシウム吸着剤入り収納容器の設置構造。
【請求項２】
前記収納容器(2)の下面(29)及び上面(28)が流路(40)内で水平に配され、且つ前記開閉蓋(25)が上面投入口(20)の枠部(22a)にヒンジ(27)を介して取付けられ、さらに前記突出部材(26)をボルト軸(26a)とする一方、前記張出部材(5)を切欠(52)又は透孔(58)が形成された板状体(5a)として、
流路(40)内に載置した前記放射性セシウム吸着剤入り収納容器(1)を、水平方向にずらして前記ボルト軸(26a)が該切欠(52)内に入り込むか又は透孔(58)を貫通するようにして、該ボルト軸(26a)と板状体(5a)とを係合させると共に、該ボルト軸の先端部に異形ナット(8)を螺着することにより、該板状体(5a)と該ボルト軸(26a)とを接続固定する請求項１記載の放射性セシウム吸着剤入り収納容器の設置構造。
【請求項３】
前記ボルト軸(26a)が前記枠部(22a)に立設する一方、前記張出部材(5)を、その水平部(51)に切欠(52)が形成された板状体(5a)として、
流路(40)内に載置した前記放射性セシウム吸着剤入り収納容器(1)を、流路(40)の上流側から下流側へ水平方向にずらして、ボルト軸(26a)周りの枠部(22a)に加えて開閉蓋(25)の一部が前記水平部(51)の下に潜り込み、且つ前記ボルト軸(26a)が該切欠(52)内に入り込むようにして該張出部材(5)と係合させて、該開閉蓋(25)の回動を張出部材(5)が阻止して開閉蓋(25)がロック状態にされると共に、該水平部(51)よりも上方に突出する該ボルト軸(26a)の先端部への異形ナット(8)の螺着で、該張出部材(5)と該ボルト軸(26a)とを接続固定する請求項２記載の放射性セシウム吸着剤入り収納容器の設置構造。
【請求項４】
前記放射性セシウム吸着剤入り収納容器(1)を、水平方向にずらして、ボルト軸(26a)周りの枠部(22a)の前記水平部(51)下への潜り込みに伴い、流路(40)内へ突出する突片(56)で係止されることによって、放射性セシウム吸着剤入り収納容器(1)の水平方向へのさらなるずれが阻止されると同時に、前記ボルト軸(26a)が該切欠(52)内に入り込むようにした請求項３記載の放射性セシウム吸着剤入り収納容器の設置構造。
【発明の詳細な説明】
【技術分野】
【０００１】
本発明は、雨水や排水等が流れる側溝等の流路内への放射性セシウム吸着剤入り収納容器の設置構造に関する。
【背景技術】
【０００２】
２０１１年３月１１日に東日本大震災で福島第１原子力発電所の原発事故が発生し、放射性セシウムの汚染拡散防止対策が急務になっている。平成２４年１０月２１日付け福島民報の新聞記事にも「県内の農業用ため池・ダムの底質（底の土壌）から高濃度の放射性セシウムが検出されている問題で、農林水産省は汚染の拡散を防ぐ実証事業に乗り出す。」とある。
こうしたなか、自然雨水・洗浄排水中のセシウム等の放射性物質を捕集する捕集除去具が提案されている（例えば特許文献１）。
【先行技術文献】
【特許文献】
【０００３】
【特許文献１】実用新案登録第３１７７１２３号公報
【０００４】
特許文献１は、その請求項１記載のごとく「自然雨水・洗浄廃水を排水案内させる排水管路の任意箇所で、自然雨水・洗浄排水を通水させる袋状の捕集ネット体を、この捕集ネット体の開口部を挟み込んで排水管路の開口部に嵌め入れられる内嵌部と、この内嵌部に比し大径に形成されて、段部を介して内嵌部と一体になっている規制部とから成っている装着管体によって排水管路に配置し、捕集ネット体によって自然雨水・洗浄排水中のセシウム等の放射性物質を捕集するようにしてあることを特徴とする排水用放射性物質の捕集除去具。」を提案する。
【発明の開示】
【発明が解決しようとする課題】
【０００５】
しかるに、特許文献１の発明は、一般家屋における屋根、雨樋等に付着しているセシウム粒子等の放射性物質を洗浄機器等にて除去、洗浄時に洗い流される放射性物質を捕集するのに好適であっても、山地から側溝等の流路を通ってダムやため池に流れ込む放射性物質を、該流路で回収するのは難しい。捕集ネットは「セシウムが塵埃等と一体化したことでその粒径が１０〜２０マイクロメートル（μｍ）であることを考慮して、５マイクロメートル程度のもの」とするが、山地からダムやため池に流れ込む流水には通常夾雑物が混ざっており、目詰まりを起こしてしまう。また、濾過操作による回収であり、回収にも限界がある。さらに、野外に設置されることから、回収された放射性セシウムが何であるか判らずに、不用意に持ち出されたりしたり簡単に触れられたりされると、危険極まりない。
【０００６】
本発明は、上記問題を解決するもので、山地からダムやため池に流れ込む途中の流路等に設置され、作業性に優れ且つ効率良く放射性セシウムを吸着回収し、さらに盗難防止対策も講じた放射性セシウム吸着剤入り収納容器の設置構造を提供することを目的とする。
【課題を解決するための手段】
【０００７】
上記目的を達成すべく、請求項１に記載の発明の要旨は、フレーム(22)で骨組み形成される立体構造体(2a)の外周面に現れる開口の一部を投入口(20)として残して、他の開口部(21)を網状体(2b)又は多孔板で覆った籠状容器を形成すると共に、該投入口(20)周りの枠部(22a)に開閉自在に開閉蓋(25)が取付けられてなる金属製収納容器(2)と、繊維状体又は粒状体からなり、充填下で、通水性を有して、前記投入口(20)から該収納容器(2)内に充填される固形の放射性セシウム吸着剤(3)と、前記収納容器(2)のフレーム(22)に外方へ突出形成される突出部材(26)と、を具備する放射性セシウム吸着剤入り収納容器(1)が設けられる一方、流路(40)を形成する路壁(41)から流路(40)内へ張り出す張出部材(5)が設けられ、該張出部材(5)と前記突出部材(26)とを接続固定して、前記開閉蓋(25)が閉じられ且つロック状態にされた前記放射性セシウム吸着剤入り収納容器(1)が流路(40)内に載置されることを特徴とする放射性セシウム吸着剤入り収納容器の設置構造にある。請求項２の発明たる放射性セシウム吸着剤入り収納容器の設置構造は、請求項１で、収納容器(2)の下面(29)及び上面(28)が流路(40)内で水平に配され、且つ前記開閉蓋(25)が上面投入口(20)の枠部(22a)にヒンジ(27)を介して取付けられ、さらに前記突出部材(26)をボルト軸(26a)とする一方、前記張出部材(5)を切欠(52)又は透孔(58)が形成された板状体(5a)として、流路(40)内に載置した前記放射性セシウム吸着剤入り収納容器(1)を、水平方向にずらして前記ボルト軸(26a)が該切欠(52)内に入り込むか又は透孔(58)を貫通するようにして、該ボルト軸(26a)と板状体(5a)とを係合させると共に、該ボルト軸の先端部に異形ナット(8)を螺着することにより、該板状体(5a)と該ボルト軸(26a)とを接続固定することを特徴とする。
請求項３の発明たる放射性セシウム吸着剤入り収納容器の設置構造は、請求項２で、ボルト軸(26a)が前記枠部(22a)に立設する一方、前記張出部材(5)を、その水平部(51)に切欠(52)が形成された板状体(5a)として、流路(40)内に載置した前記放射性セシウム吸着剤入り収納容器(1)を、流路(40)の上流側から下流側へ水平方向にずらして、ボルト軸(26a)周りの枠部(22a)に加えて開閉蓋(25)の一部が前記水平部(51)の下に潜り込み、且つ前記ボルト軸(26a)が該切欠(52)内に入り込むようにして該張出部材(5)と係合させて、該開閉蓋(25)の回動を張出部材(5)が阻止して開閉蓋(25)がロック状態にされると共に、該水平部(51)よりも上方に突出する該ボルト軸(26a)の先端部への異形ナット(8)の螺着で、該張出部材(5)と該ボルト軸(26a)とを接続固定することを特徴とする。請求項４の発明たる放射性セシウム吸着剤入り収納容器の設置構造は、請求項３で、放射性セシウム吸着剤入り収納容器(1)を、水平方向にずらして、ボルト軸(26a)周りの枠部(22a)の前記水平部(51)下への潜り込みに伴い、流路(40)内へ突出する突片(56)で係止されることによって、放射性セシウム吸着剤入り収納容器(1)の水平方向へのさらなるずれが阻止されると同時に、前記ボルト軸(26a)が該切欠(52)内に入り込むようにしたことを特徴とする。
【発明の効果】
【０００８】
本発明の放射性セシウム吸着剤入り収納容器の設置構造は、作業性に優れ且つ放射性セシウムを効率良く吸着回収でき、さらに盗難防止対策も磐石であり、山地からダムやため池に流れ込む途中の流路等に設置に対し優れた効果を発揮する。
【図面の簡単な説明】
【０００９】
【図１】放射性セシウム吸着剤入り収納容器の設置構造の一形態で、（イ）がその収納容器の斜視図、（ロ）が（イ）の開閉蓋を閉じた状態下の正面図である。
【図２】図１の収納容器を流路内に載置し、投入口から放射性セシウムを投入,充填する斜視図である。
【図３】図２の開閉蓋を閉じた後、水平方向に放射性セシウム吸着剤入り容器をずらして板状体へ近づけた要部斜視図である。
【図４】図３のセシウム吸着剤入り容器をさらにずらしてボルト軸と板状体とを係合させた斜視図である。
【図５】図４のボルト軸に異形ナットを螺着した斜視図である。
【図６】他態様の放射性セシウム吸着剤入り収納容器の設置構造にする前段階にある説明断面図である。
【図７】図６の状態から最終設置構造へと進めた放射性セシウム吸着剤入り収納容器の設置構造の説明断面図である。
【図８】異形ナットの説明斜視図である。
【図９】図８と異なる異形ナットの説明斜視図である。
【図１０】図８、図９とはまた異なる異形ナットの説明斜視図である。
【発明を実施するための形態】
【００１０】
以下、本発明に係る放射性セシウム吸着剤入り収納容器（以下、単に「セシウム吸着剤入り容器」ともいう。）の設置構造について詳述する。
図１〜図１０は本発明のセシウム吸着剤入り収納容器の設置構造の一形態で、図１は（イ）がその収納容器の斜視図、（ロ）が（イ）の開閉蓋を閉じた状態下の正面図、図２は図１の収納容器を流路内に載置し、収納容器内へ放射性セシウム（以下、単に「セシウム」ともいう。）を投入,充填する斜視図、図３は図２の開閉蓋を閉じた後、水平方向にセシウム吸着剤入り容器をずらして板状体へ近づけた要部斜視図、図４は図３のセシウム吸着剤入り容器をさらにずらしてボルト軸と板状体とを係合させた斜視図、図５は図４のボルト軸に異形ナットを螺着した斜視図、図６、図７は他態様のセシウム吸着剤入り収納容器の設置構造の説明断面図、図８〜図１０は異形ナットの説明斜視図を示す。
【００１１】
セシウム吸着剤入り収納容器１の設置構造は、セシウム吸着剤入り収納容器１が収納容器２と突出部材２６とセシウム吸着剤３とを具備し、また流路４０側に張出部材５を具備する。本実施形態は、図３のような鉄筋コンクリートＵ形側溝４ａを用いた流路４０に適用する。Ｕ形側溝４ａを数珠つなぎして、図２のごとくの流路４０が形成される。
【００１２】
放射性セシウム吸着剤３（以下、単に「セシウム吸着剤３」ともいう。）は、繊維状体又は粒状体からなり、充填下で、通水性を有して、投入口２０から収納容器２内に充填される固形の吸着剤である。本発明の繊維状体には、繊維状のみならず、糸状、さらに布状にしたものを含む。
セシウム吸着剤３は、例えば株式会社カサイの繊維型セシウム吸着剤（Ｋ２ＡＱＵＡ−Ｃs）を指す。該セシウム吸着剤３（Ｋ２ＡＱＵＡ−Ｃs）は水中に存在している放射性セシウムを吸着する繊維である。繊維状に加工されて、粉末状のゼオライトやプルシアンブルーと比較して取扱いが容易で、放射性セシウムを高効率で回収することができる（特願2012-134813号）。
【００１３】
株式会社カサイからの提供資料（2012.09.27付け「放射性セシウム吸着剤Ｋ２ＡＱＵＡ−Ｃs詳細説明」）にはフィールド試験１,２が以下のごとく記述されている。
フィールド試験１では「吸着剤を洗濯ネットに入れ、いわき市の沼への流れ込み水路に設置しました。また、比較対象としてゼオライト粒(2mm)も同様の場所に設置しました。尚、この沼の線量は１０Bq/kg以下(ND値)でした。一定期間放置後、表面についた泥、枯葉などを取り除きNalシンチレーションカウンターで測定を行いました。測定結果はゼオライト粒(2mm)が１０日後は1050で、２０日後が1132であったのに対し、Ｋ２ＡＱＵＡ−Ｃsは１０日後が1256で、２０日後が2406であった。測定結果よりゼオライト粒と比較すると１０日後ではあまり吸着量に差が観測されませんでした。その後ゼオライト粒は吸着量が伸びないのに対し、弊社吸着剤は２０日、３０日後ではゼオライト粒の二倍の吸着量が発現されました。」と述べる。
また、フィールド試験２では「吸着剤を洗濯ネットに入れ、いわき市の農業用水路に設置しました。尚、この農業用水の線量は１０Bq/kg以下（ND値）でした。一定期間放置後、表面についた泥、枯葉などを取り除きNalシンチレーションカウンターで測定を行いました。測定結果は３０日後が5608、６０日後が6704でした。測定結果より設置一ヶ月と二ヶ月の差がほとんどなく吸着剤が飽和状態になっています。これより使用期間は設置より一ヶ月が妥当であると判断しました。さらに二ヶ月後でも放射性セシウムの減少は観測されず、放射性セシウムの流出はありませんでした。また、吸着剤の腐食も起きておらず安定して自然環境に設置できることがわかりました。」と述べている。
【００１４】
しかるに、前記洗濯ネットは、フィールド試験で、雨天時等で農業用水路の流量が増し流速が速くなると、そこに設置したセシウム吸着剤３入り洗濯ネットが水面方向へ浮き上がってしまい、十分な効果が得られない。また、災害時の急激な水流の変化や漂流物（木の枝やゴミ等）による洗濯ネットの破損があった場合、セシウム吸着剤３を紛失する虞もある。特に安易にセシウム吸着剤３に触れることができ、安全面に不安がある。
そこで、本発明のセシウム吸着剤入り収納容器１の設置構造は、前記セシウム吸着剤３が容器内に充填された突出部材２６付きセシウム吸着剤入り収納容器１と、流路４０側に張出部材５を具備して、上記不具合を解決する。
【００１５】
収納容器２は、フレーム２２で骨組み形成される立体構造体２ａの外周面に現れる開口の一部を投入口２０として残して、他の開口部２１を網状体２ｂ又は多孔板で覆った籠状容器を形成し、該投入口２０周りの枠部２２ａに開閉自在に開閉蓋２５が取付けられる金属製容器である（図１）。
本実施形態の立体構造体２ａは、正面視でステンレス製Ｌ型鋼や平鋼を用いてサイコロの外形に近い略中空六面体形状にしながらも、Ｕ形側溝の横断面Ｕ字形に合わせて下部の方の幅をすぼめた図１(ロ)のごとくの骨組み形状とする。そして、該立体構造体２ａがつくる外周面のうち、上面開口を投入口２０として残し、他の開口部２１をステンレス製金網からなる網状体２ｂで覆って、上面開口の籠状容器とする。符合２ｂ１は網状体２ｂがつくる網目を示す。骨組み形成された立体構造体２ａの内側から各フレーム２２に網状体２ｂを当てて溶接固定し、該網状体２ｂで囲った籠状容器とする。前記投入口２０はその周りの枠部２２ａによって四角枠に形成され、該投入口２０を塞ぐ大きさの開閉蓋２５が開閉自在に取付けられて、セシウム吸着剤３用の収納容器２になる。尚、図示を省略するが、網状体２ｂに代え、多孔板を用いた収納容器２とすることもできる。
【００１６】
該収納容器２は、その下面２９及び上面２８が流路４０内で水平に配される。符号２２ｂは、収納容器下面２９に固着した一対の滑り板用平行板材で、流路４０内に載置したセシウム吸着剤入り収納容器１を、抵抗を減らして水平方向にずらし易くするものである。開閉蓋２５が上面投入口２０の枠部２２ａにヒンジ２７を介して取付けられる。そして、収納容器２のフレーム２２には突出部材２６が設けられる。
【００１７】
突出部材２６は、収納容器２のフレーム２２に外方へ突出形成される金属製部材である。本実施形態の突出部材２６はボルト軸２６ａとし、投入口２０を形成する前記枠部２２ａに該ボルト軸２６ａが立設する。詳しくは、図１〜図４のごとく、ヒンジ２７が取付けられたフレーム２２と対向するフレーム２２の上面にボルト軸２６ａが起立する。
【００１８】
一方、流路４０側に、張出部材５が流路４０を形成する鉄筋コンクリートＵ形側溝４ａに係る側壁部分４２の路壁４１から流路４０内へ張り出すよう設けられる。本実施形態は張出部材５を図２〜図５ごとく側面視Ｌ形板状体５ａとし、垂直部５０が路壁４１たる側壁部分４２に固着し、水平部５１が流路４０内に水平に突き出すように配設される。該水平部５１にはＵ字状の切欠５２が形成される。ここでは、板状体５ａとして第１板状体５ａ１と第２板状体５ａ２を備え、それぞれ略対向する側壁部分４２の上端面４２ａ近くに設けられる。水平部５１の上流側端縁に切欠５２が形成された第１板状体５ａ１が流路４０を形成する一の側壁部分４２から流路４０内へ該水平部５１突き出し、他の側壁部分４２から流路４０内に第２板状体５ａ２が突き出すようにしている。第２板状体５ａ２は側面視略Ｌ形とし、図２のごとく第１板状体５ａ１よりもやや下流側に配される。第２板状体５ａ２は水平部５１が流路４０内に水平に突き出し、さらに該水平部５１の下流側の端縁部分では屈折し、垂直下方向に板状突片５６が延設する。
【００１９】
こうして、前記突出部材２６付き収納容器２とセシウム吸着剤３と張出部材５を備え、まず繊維状セシウム吸着剤３が図２のように収納容器２内に収められて、セシウム吸着剤入り収納容器１になる。さらに張出部材５と突出部材２６とを接続固定して、開閉蓋２５が閉じられ且つロック状態にされたセシウム吸着剤入り収納容器１が流路４０内の底壁部分４３に載置される構成とする。
具体的には、流路４０内に載置した前記セシウム吸着剤入り収納容器１を、図２のごとく白抜矢印の水平方向にずらしてボルト軸２６ａが切欠５２内に入り込ませて、該ボルト軸２６ａと板状体５ａとを係合させる(図３、図４)。切欠５２に収まり、板状体５ａの水平部５１に係合したボルト軸２６ａは、水平部５１よりも上方に突き出す長さになるよう設定されており、ボルト軸２６ａの先端部に異形ナット８を螺着することにより、板状体５ａとボルト軸２６ａが接続固定される。
【００２０】
ここでは、流路４０内に載置したセシウム吸着剤入り収納容器１を、流路４０の上流側から下流側へ水平方向にずらしていく。この水平移動で、ボルト軸２６ａ周りの枠部２２ａに加えて開閉蓋２５の一部が第１板状体５ａ１の水平部５１の下に潜り込み、且つボルト軸２６ａが切欠５２内に入り込むようにして張出部材５と係合する。より詳しくは、セシウム吸着剤入り収納容器１を、水平方向にずらして、ボルト軸２６ａ周りの枠部２２ａが水平部５１下へ潜り込むのに伴い、流路４０内へ突出する突片５６で係止されることによって、セシウム吸着剤入り収納容器１の水平方向へのさらなるずれが阻止されると同時に、ボルト軸２６ａが該切欠５２内に入り込む設定にしている。斯かる状態下、水平部５１の突出部分５１１が開閉蓋２５の回動を阻止して、開閉蓋２５をロック状態にする。
そして、水平部５１よりも上方に突出するボルト軸２６ａの先端部への異形ナット８の螺着で、張出部材５とボルト軸２６ａとを接続固定する。第１板状体５ａ１の水平部５１の一部を流路４０中央へ向け延在させて、突出部分５１１を形成し、ボルト軸２６ａが切欠５２内に入り込むと、図４のごとく突出部分５１１の下に開閉蓋２５の一部が潜り込む。開閉蓋２５の回動を突出部分５１１が阻止して開閉蓋２５がロック状態になる。施錠して開閉蓋２５をロックできるが、斯かる構成によれば、施錠しなくても、簡便に開閉蓋２５を開けられないようにできる。
【００２１】
前記異形ナット８は、ボルト軸２６ａに螺合する雌ねじ部８２を形成し、且つ外面に突起８０ｂ又は凹溝を設けた締め付け部材である。異形ナット８はその外形が図５,図８のような異形体とする。異形体はナット本体８０に鍔８０ｄと突起８０ｂとを一体化したものである。本異形体はナット本体８０の本体部分が汎用ナットの六角柱(六角形)した外形と違って円柱形とする。そして、ナット本体８０の下縁に外方へ張り出す鍔８０ｄを設ける一方、ナット本体８０の側面部分８０ａに水平外方向に延びるリブ状突起８０ｂを突設する。突起８０ｂは平面視で本体側面部分８０ａから外方へ凸状部を突出形成してなる。突起８０ｂは、平面視でナット本体８０の中心軸を中心にして、側面部分８０ａから放射線状に複数設けられる。突起８０ｂの下部は鍔８０ｄに結合する。鍔８０ｄの領域を除き、突起８０ｂがあるナット本体８０の領域では、垂直方向ほぼ等断面形状になる。図８のように専用治具９を異形体Ｋの上方から矢印のごとく垂直下降して異形体に深く且つ十分に嵌合させ、専用治具９による異形体Ｋの異形ナット８の取付け取外しを円滑にするためである。突起８０ｂの形成によって市販の汎用レンチは使用できない。該突起８０ｂが設けられた異形体Ｋに嵌合する専用治具９のみによりその異形ナット８の取付けや取外しができる。異形ナット８は、図９のごとく、雌ねじ部８２を設けたナット本体８０の上部を被冠部８５で覆った袋ナットとするとより好ましい。野外に設置されるセシウム吸着剤入り収納容器１にあって、雌ねじ部８２とボルト軸２６ａの雄ねじ部との螺合部に、雨水が浸入するのを阻止し、異形ナット８,ボルト軸２６ａが傷まないからである。
【００２２】
突起８０ｂは図８のごとくナット本体８０の側面部分８０ａから放射線状にいくつも形成されることによって、突起８０ｂへの専用治具９の係止が強化されるが、該突起８０ｂの大きさ,形状,個数等を変えてもよい。図９,図１０は図８のものと異なる異形体Ｋの異形ナット８としたものである。符号８０ｃは突起８０ｂの形成によって該突起と本体側面部分８０ａとでつくる凹所を示す。図示を省略するが、ボルト軸２６ａへの異形ナット８螺着時に、ボルト軸２６ａと異形ナット８との間に介在させるスプリングワッシャが準備される。
【００２３】
前記専用治具９は、異形ナット８の異形体Ｋの外形と略同形の雌形嵌合部９１を形成する。治具本体９０の上端外面部には、異形ナット８への嵌合後に該専用治具９を作動させることのできる汎用レンチとの係合部９２が設けられる。
【００２４】
図６、図７は図１〜図５に代わる他態様図で、第１板状体５ａ１には切欠５２を設けず、新たに設けた第３板状体５ａ３に透孔５８を形成する。尚、第３板状体５ａ３は断面を示すが、断面表示のハッチングを省く。張出部材５たる第３板状体５ａ３には、図６のごとく鉛直方向に起立する制止板部５７が側壁部分４２から流路４０の中央へと張り出す。該制止板部５７には透孔５８が形成され、該透孔５８に対応する収納容器２に突出部材２６が形成される。立体構造体２ａの下流側に配されるフレーム２２の立板部２２ｃに、突出部材２６たるボルト軸２６ａが水平外方へ向けて突出形成される。
そして、流路４０内に載置したセシウム吸着剤入り収納容器１を、水平方向にずらしてボルト軸２６ａが透孔５８を貫通するようにして、ボルト軸２６ａと第３板状体５ａ３とを係合させると共に、ボルト軸２６ａの先端部に異形ナット８を螺着することにより、第３板状体５ａ３とボルト軸２６ａとを接続固定し、セシウム吸着剤入り収納容器１の設置構造とする。
【００２５】
ここでは、流路４０内に設置したセシウム吸着剤入り収納容器１の上流側に図７のようなゴミ取り用スクリーン設備７をさらに配設するセシウム吸着剤入り収納容器１の設置構造とする。
スクリーン設備７はＨ形保持部材７ａの主部材９５に設けた孔７５１に、スクリーン７ｂに係るＵ字枠７１の両端に在る軸部７３を挿着し、流路４０の上部に水平配設する保持部材７ａに対し、スクリーン７ｂが吊設される。Ｕ字枠７１内には数本の仕切棒材７２が配設される。図７の白抜き矢印の水流に対し、スクリーン７ｂは横架材７６に係止され、鉛直状態を保つ。流路４０内を流れる水に混ざっている大きなゴミが、セシウム吸着剤入り収納容器１内へ流れ込む前に、該ゴミをスクリーン７ｂで捕捉回収する。大きなゴミ等によるセシウム吸着剤３の目詰まりを解消し、さらに吸着性能維持にも役立ち、より好ましくなる。符号７９は、スクリーン７ｂの不用時等で、スクリーン７ｂを持上げて水平状態で係止,保持する止具を示す。
スクリーン７ｂは収納容器２と別体にしたが、主部材７５の端部７５２を収納容器２に固着し、一体化を図ることもできる。放射性セシウム除去が必要な設置場所にスクリーン７ｂが一体化したセシウム吸着剤入り収納容器１を設置するだけで足るようになる。図示を省略するが、図１〜図５のセシウム吸着剤入り収納容器１の設置構造にも斯かるスクリーン７ｂを適用でき、そうすれば上記効果が得られる。
【００２６】
次に、図１〜図５の本セシウム吸着剤入り収納容器１を用いて、その設置構造とする一使用例,動作例を述べる。
まず、図１の収納容器２の開閉蓋２５を開にし、繊維状セシウム吸着剤３を投入口２０から収納容器２内へ投入,充填する。このセシウム吸着剤３入り容器を流路４０内で張出部材５よりも上流側の底壁部分４３に置く(図２)。この時、ボルト軸２６ａが切欠５２と対向するようにしてセシウム吸着剤３入り容器をＵ形側溝４ａ内に設置する。
続いて、孔２５ｃを利用して開閉蓋２５で投入口２０に蓋をした後、図２の白抜き矢印方向へセシウム吸着剤入り収納容器１をずらしてボルト軸２６ａが切欠５２内に入り込むようにする。ボルト軸２６ａ周りの枠部２２ａの水平部５１下への潜り込みに伴い、流路４０内へ突出する突片５６で係止される。突片５６で、セシウム吸着剤入り収納容器１の水平方向へのさらなるずれが阻止されると同時に、ボルト軸２６ａが切欠５２内に入り込んだ状態になり、ボルト軸２６ａと板状体５ａとが係合する。
その後、ボルト軸２６ａの先端部に専用治具９で異形ナット８を螺着することにより、板状体５ａとボルト軸２６ａとを接続固定し、図４,図５の状態とし、セシウム吸着剤入り収納容器１の設置構造を完成させる。
既述のごとく、図４,図５のセシウム吸着剤入り収納容器１の設置構造の状態下で、開閉蓋２５の一部が前記水平部５１(詳しくは突出部分５１１)の下に潜り込み、開閉蓋２５の回動を張出部材５が阻止して開閉蓋２５がロック状態にされる。
【００２７】
斯かる状態にして、流路４０内の水中に存在している放射性セシウムを収納容器２に充填されたセシウム吸着剤３による吸着が進行する。所定期間経過後、セシウム吸着量が飽和状態近くなった段階で、収納容器２からセシウム吸着剤３を取り出し回収する。収納容器２からのセシウム吸着剤３の取り出しは、前記動作と逆手順で行う。
取り出されたセシウム吸着剤３は、例えば株式会社サンメック製放射性遮蔽容器又は放射性遮蔽バック＆容器に保管される。空になった収納容器２へは、またセシウム吸着剤３を充填し、前記動作手順を繰り返して図４に示す状態のセシウム吸着剤入り収納容器１の設置構造とする。
【００２８】
このように構成したセシウム吸着剤入り収納容器１の設置構造は、金属製収納容器２内に固形のセシウム吸着剤３を充填し、開閉蓋２５が閉じられ且つロック状態にされたセシウム吸着剤入り収納容器１が流路４０内に載置されるので、洗濯ネット内にセシウム吸着剤３を入れた場合と違って水流が速くても、浮き上がることがない。セシウム吸着剤３が水中に沈んで、確実に放射性セシウムを吸着回収できる。そして、収納容器２が頑強な金属製フレーム２２や金属製網状体２ｂ,多孔板で形成され、この金属製収納容器２内にセシウム吸着剤３が充填されるので、洗濯ネットのように水流に乗って流れてくる木の枝等の漂流物によって破損する虞もない。
そして、フレーム２２で骨組み形成される立体構造体２ａの外周面に現れる開口の一部を投入口２０として残して、他の開口部２１を網状体２ｂ又は多孔板で覆った籠状容器を形成すると共に、投入口２０周りの枠部２２ａに開閉自在に開閉蓋２５が取付けられてなる金属製収納容器２とし、投入口２０を利用してセシウム吸着剤３の出し入れが簡単にできるので、作業性に優れ且つ効率良く放射性セシウムを確実に吸着回収できる。
本セシウム吸着剤入り収納容器１の設置構造は、頑丈で、山地からダムやため池に流れ込む途中の流路４０等に簡単に設置でき、作業性、メンテナンス維持管理が楽になる。
【００２９】
とりわけ、繊維状又は粒状の吸着剤を収納容器２に充填して放射性セシウムを回収するので、特許文献１の捕集ネットの目に比べ、網状体２ｂの網目２ｂ１や多孔板の孔径を大きくでき、使い勝手,メンテナンスに優れる。目詰まりを起こさず、また特許文献１と異なり、通水抵抗が大きくならず、長期間使用に耐える。セシウム吸着剤３の取替え交換するまで、メンテナンスフリー状態を保つ。繊維状体セシウム吸着剤３を用いれば、網目２ｂ１を大きくしても何ら支障なく該セシウム吸着剤を収納容器内に維持でき、しかも通水抵抗が高まることがなくなるので、完全なメンテナンスフリーを実現する。さらに特許文献１の濾過操作と違い、セシウム吸着剤３による吸着操作で放射性セシウムを回収するので、威力を発揮する。濾過の機械的分離による捕集ネットと違い、化学的吸着作用を有する吸着操作は、低濃度に対しても吸着能が高く、放射性セシウム等の汚染物質回収に打ってつけとなっている。
繊維状体のセシウム吸着剤３にすれば、通水性が良好で、また生物膜も張り難くなるなどの効果を発揮する。株式会社カサイの繊維型セシウム吸着剤３（Ｋ２ＡＱＵＡ−Ｃs）を採用すれば、吸着容量、吸着速度が大となり、一層好ましくなる。
【００３０】
加えて、流路４０内に載置したセシウム吸着剤入り収納容器１を、水平方向にずらしてボルト軸２６ａが切欠５２内に入り込むか又は透孔５８を貫通するようにして、ボルト軸２６ａと板状体５ａとを係合させると共に、ボルト軸２６ａの先端部に異形ナット８を螺着することにより、板状体５ａとボルト軸２６ａとを接続固定すると、部外者による異形ナット８の取り外しが困難になる。セシウム吸着剤入り収納容器１を持ち出すことができず、安全対策が十分となる。放射性セシウムが吸着されたセシウム吸着剤入り収納容器１は、野外に置かれるが、安易に持ち去られると安全面において不安がある。ボルト軸２６ａの先端部に異形ナット８を螺着することにより、板状体５ａとボルト軸２６ａとを接続固定するので、安全対策は万全となる。
【００３１】
また、流路４０内に載置したセシウム吸着剤入り収納容器１を、流路４０の上流側から下流側へ水平方向にずらして、ボルト軸２６ａ周りの枠部２２ａに加えて開閉蓋２５の一部が前記水平部５１の下に潜り込み、且つボルト軸２６ａが切欠５２内に入り込み張出部材５との係合に合わせて、開閉蓋２５の回動を張出部材５が阻止して開閉蓋２５がロック状態にされると、別途施錠することなく、開閉蓋２５が開かなくなるので、セシウム吸着剤入り収納容器１の設置構造の簡略化が図れる。
さらに、セシウム吸着剤入り収納容器１を、水平方向にずらして、ボルト軸２６ａ周りの枠部２２ａの水平部５１下への潜り込みに伴い、突片５６で係止されることによって、セシウム吸着剤入り収納容器１の水平方向へのさらなるずれが阻止されると同時に、ボルト軸２６ａが該切欠５２内に入り込むと、切欠５２と突片２６の二箇所で係止するので、セシウム吸着剤入り収納容器１の設置構造へと円滑且つ確実にセットでき、作業性に優れる。
【００３２】
さらにいえば、セシウム吸着剤入り収納容器１の設置構造の上流側至近距離に、図７に示すようなスクリーン設備７が付け加えられると、セシウム吸着剤入り収納容器１へ木の枝等の漂流物が入り込む前に、これらをスクリーン７ｂが除去するので、安定したセシウム吸着回収を持続できる。山地からダムやため池に流れ込む途中の流路４０等に設置されるセシウム吸着剤入り収納容器１の設置構造にあって、大きなゴミを事前除去できるので極めて有効となる。
このように本セシウム吸着剤入り収納容器１の設置構造は、上述した数々の優れた効果を発揮し、多大な効を奏する。
【００３３】
尚、本発明においては前記実施形態に示すものに限られず、目的,用途に応じて本発明の範囲で種々変更できる。収納容器２,セシウム吸着剤３,流路形成部材４,流路４０,張出部材５,スクリーン７ｂ,異形ナット８等の形状,大きさ,個数,材質等は用途に合わせて適宜選択できる。例えば流路４０を形成する流路形成部材４は、実施形態の鉄筋コンクリートＵ形側溝の他、自由勾配側溝,集水管,集水枡,キャッチドレン,ボックスカルバート,横断函渠等に適用できる。
【符号の説明】
【００３４】
１            放射性セシウム吸着剤入り収納容器
２            収納容器
２ａ          立体構造体
２ｂ          網状体
２０          投入口
２１          開口部
２２          フレーム
２６          突出部材
２６ａ        ボルト軸
３            放射性セシウム吸着剤
４０          流路
４１          路壁
５            張出部材
５ａ          板状体（第１板状体、第２板状体、第３板状体）
５１          水平部
５２          切欠
５６          突片
５８          透孔
８            異形ナット
【図１】
2014098640.tif 000003
【図２】
2014098640.tif 000004
【図３】
2014098640.tif 000005
【図４】
2014098640.tif 000006
【図５】
2014098640.tif 000007
【図６】
2014098640.tif 000008
【図７】
2014098640.tif 000009
【図８】
2014098640.tif 000010
【図９】
2014098640.tif 000011
【図１０】
2014098640.tif 000012